(57)【要約】【課題】健康増進効果や美容効果を高めることができる水素浴ユニットを提供する。【解決手段】水素浴を行う水素浴ユニット１００であって、水素が供給される容器１８０，２８０と、容器１８０，２８０の外部に設けられ水素水が供給される水素水供給口１６０と、を有する。また、容器１８０，２８０に供給するための水素および水素水供給口１６０から供給される水素水を生成するための水素を発生させる水素発生装置１３０を有する。水素発生装置１３０は、水素の発生により生成される酸素を排出する酸素排出口１３０ｂを有する。【選択図】図１
2017158987.tif 000002
【特許請求の範囲】
【請求項１】
水素浴を行う水素浴ユニットであって、水素が供給される容器と、前記容器に供給される水素を発生させる水素発生装置と、を有することを特徴とする水素浴ユニット。
【請求項２】
前記容器の外部に設けられ水素水が供給される水素水供給口を更に有することを特徴とする請求項１に記載の水素浴ユニット。
【請求項３】
前記水素水供給口から供給される水素水を生成する水素水生成器を有することを特徴とする請求項２に記載の水素浴ユニット。
【請求項４】
前記水素発生装置は、前記水素の発生により生成される酸素を排出する酸素排出口を有することを特徴とする請求項３に記載の水素浴ユニット。
【請求項５】
前記水素発生装置により発生させる水素は、水素ガスとし、前記容器に供給される水素は、前記水素ガスとすることを特徴とする請求項４に記載の水素浴ユニット。
【請求項６】
前記水素水供給口から供給される水素水を生成するための自然水を供給する自然水供給器を有することを特徴とする請求項５に記載の水素浴ユニット。
【請求項７】
前記容器には、気体または液体が満たされていることを特徴とする請求項６に記載の水素浴ユニット。
【請求項８】
前記容器の外部における水素濃度が規定値よりも大きいと判断されたときに前記水素発生装置を停止させる制御信号を生成する制御装置を有することを特徴とする請求項７に記載の水素浴ユニット。
【請求項９】
前記液体が満たされている容器は、浴槽とし、前記浴槽には、軟水が供給されることを特徴とする請求項８に記載の水素浴ユニット。
【請求項１０】
前記気体が満たされている容器は、上壁が設けられ、前記上壁に開口が形成されることを特徴とする請求項８に記載の水素浴ユニット。
【請求項１１】
前記開口は、利用者が顔を露出させるための孔と、前記水素が流出し前記利用者が水素を吸引するための孔と、を有することを特徴とする請求項１０に記載の水素浴ユニット。
【請求項１２】
前記開口は、前記孔を連ねて長孔状に形成することを特徴とする請求項１１に記載の水素浴ユニット。
【請求項１３】
前記発生した水素と外気とを換気する換気ファンを有することを特徴とする請求項１２に記載の水素浴ユニット。
【発明の詳細な説明】
【技術分野】
【０００１】  本発明は、水素浴ユニットに関し、特に水素が供給される容器を有する水素浴ユニットに関する。
【背景技術】
【０００２】  近年の健康ブームから健康増進効果や美容効果を高める目的で、例えば酸素浴を行う酸素浴ユニットが提案されている。このような酸素浴ユニットは、例えば、特許文献１および特許文献２に示す技術が参照される。
【先行技術文献】
【特許文献】
【０００３】
【特許文献１】特開２００６−７５４８２号
【特許文献２】特開２００８−５９１６号
【発明の概要】
【発明が解決しようとする課題】
【０００４】  しかしながら、近時は需要者の嗜好の多様化から斬新な発想で健康増進効果や美容効果を高めることができる技術の提案が強く求められていた。
本発明はこのような事情に鑑みてなされたものであり、健康増進効果や美容効果を高めることができる水素浴ユニットを提供することを目的とする。
【課題を解決するための手段】
【０００５】  上記目的を達成するために、水素浴ユニットに係る請求項１の発明は、水素浴を行う水素浴ユニットであって、水素が供給される容器と、容器に供給される水素を発生させる水素発生装置と、を有することを特徴とする。
本発明によれば、水素が供給される容器と、容器に供給される水素を発生させる水素発生装置と、を有することとしたので、利用者が容器内に入り水素浴を行うことができる。これにより、身体の外部からより詳しくは皮膚から水素を摂取することができ、水素の還元効果によって健康増進効果や美容効果を高めることができる。【０００６】  容器の外部に設けられ水素水が供給される水素水供給口を更に有することとすれば、利用者が、水素水供給口から供給される水素水を飲料しながら容器内に入り水素浴を行うことができる。これにより、身体の外部より詳しくは皮膚からのみならず身体の内部からも水素を摂取することができ、水素の還元効果によって健康増進効果や美容効果を更に高めることができる。【０００７】  水素水供給口から供給される水素水を生成する水素水生成器を有することとすることができる（請求項３）。【０００８】  水素発生装置は、水素の発生により生成される酸素を排出する酸素排出口を有することとすれば、発生する水素ガスの純度を高純度（高濃度）に設定することができる（請求項４）。【０００９】  水素発生装置により発生される水素は、水素ガスとし、容器に供給される水素は、水素ガスとすることができる（請求項５）。
水素水供給口から供給される水素水を生成するための自然水を供給する自然水供給器を有することとすれば、自然水による健康増進効果や美容効果を更に付加することができる（請求項６）。【００１０】  容器には、気体または液体が満たされていることとすることができる（請求項７）。
容器の外部における水素濃度が規定値よりも大きいと判断されたときに水素発生装置を停止させる制御信号を生成する制御装置を有することとすれば、容器の外部において水素濃度が高濃度となる場合にあっても、水素発生装置を停止させることができ、安全性を向上させることができる（請求項８）。【００１１】  液体が満たされている容器は、浴槽とし、浴槽には、軟水が供給されることとすれば、健康増進効果や美容効果を更に一層高めることができる（請求項９）。
気体が満たされている容器は、上壁が設けられ、上壁に開口が形成されることとすることができる（請求項１０）。【００１２】  開口は、利用者が顔を露出させるための孔と、水素が流出し利用者が水素を吸引するための孔と、を有することとすれば（請求項１１）、より詳しくは、開口は、孔を連ねて長孔状に形成することとすれば（請求項１２）、例えば、利用者が開口から顔を露出させる場合にあっても、開口から確実に水素を吸引することができる。
発生した水素と外気とを換気する換気ファンを有することとすることができる（請求項１３）。
【発明の効果】
【００１３】  本発明によれば、健康増進効果や美容効果を高めることができる。
【図面の簡単な説明】
【００１４】
【図１】本発明の第１実施形態に係る水素浴ユニットの構成を示す系統図である。
【図２】同水素浴ユニットにおける制御装置の構成を示すブロック図である。
【図３】本発明の第２実施形態に係る水素浴ユニットの構成を示す系統図である。
【図４】同水素浴ユニットにおける水素カプセルの構成を示す平面図である。
【発明を実施するための形態】
【００１５】  以下、本発明の実施形態について図面を参照して詳細に説明する。
図１は、本発明の第１実施形態に係る水素浴ユニット１００の構成を示す図である。同図を参照して第１実施形態に係る水素浴ユニット１００の概要を説明すると、水素浴ユニット１００は、軟水生成装置１１０、純水生成装置１２０、水素発生装置１３０、自然水供給器１４０、水素水生成器１５０、水素水供給口１６０、水素吹き出し口１７０、液体が満たされる容器１８０より詳しくは浴槽１８０、換気ファン１９０、検出器１９３、および制御装置１９５を有しており、純水から連続的に水素を発生させて浴槽１８０および水素水供給口１６０に供給する構成となっている。
【００１６】  軟水生成装置１１０は、接続ライン１１０ａを介して水源１０５と接続されており、水源１０５から供給された水道水から軟水を生成する機能を有している。すなわち、軟水生成装置１１０は、イオン交換樹脂によるイオン交換処理により水道水からカルシウムおよびマグネシウムを除去して軟水を生成することができる。軟水生成装置１１０により生成された軟水は、ヒータ１１５により所定の湯温に加熱されて浴槽１８０に供給される。
【００１７】  純水生成装置１２０は、接続ライン１２０ａを介して水源１０５と接続されており、水源１０５から供給された水道水から純水を生成する機能を有している。純水生成装置１２０は、イオン交換樹脂を有しており、イオン交換樹脂によるイオン交換処理により水道水から不純物を除去して純水を生成することができる。なお、接続ライン１２０ａは、接続ライン１１０ａからの分岐されたラインとなる。
【００１８】  水素発生装置１３０は、接続ライン１３０ａを介して純水生成装置１２０と接続されており、純水生成装置１２０により生成された純水から水素より詳しくは水素ガスを発生させる機能を有している。水素発生装置１３０は、純水を電気分解することにより水素ガスを発生させることができる。水素発生装置１３０は、酸素排出口１３０ｂを有しており、酸素排出口１３０ｂにより、水素ガスの発生により生成された酸素ガスを分離して外部に排出することができ、発生する水素ガスの純度を高純度（高濃度）に設定することができる。本発明においては、水素発生装置１３０により発生する水素ガスの純度は、９９％以上１００％未満、より詳しくは９９，９％以上１００％未満、更に詳しくは９９．９９５％に設定される。水素発生装置１３０により発生した水素ガスは、浴槽１８０および水素水生成器１５０に供給される。つまり、水素発生装置１３０は、浴槽１８０に供給するための水素ガスおよび水素水供給口１６０から供給される水素水を生成するための水素ガスを発生させる。
【００１９】  自然水供給器１４０は、自然水の水源に接続されることにより、または、自然水を貯蔵する貯蔵容器に接続されることにより、自然水を供給する機能を有している。自然水供給器１４０により供給される自然水は、水素水供給口１６０から供給される水素水を生成するために用いられる。
【００２０】  水素水生成器１５０は、接続ライン１５０ａを介して自然水供給器１４０と接続されるとともに、接続ライン１５０ｂを介して水素発生装置１３０と接続されており、自然水供給器１４０から供給された自然水と水素発生装置１３０により発生した水素ガスとを混合して水素水を生成する機能を有している。水素発生装置１３０により発生した水素ガスは、接続ライン１５０ｂに設けられたポンプ１３５を介して水素水生成器１５０に供給される。水素水生成器１５０により生成された水素水は、利用者の飲料用として生成される。
【００２１】  水素水供給口１６０は、接続ライン１６０ａを介して水素水生成器１５０と接続されており、水素水生成器１５０により混合して生成された水素水を外部に供給する機能を有している。すなわち、水素水供給口１６０は、浴槽１８０の外部に設けられており、飲料用の水素水を供給する。水素水供給口１６０は、利用者が浴槽１８０に入りながら水素水供給口１６０に手が届く位置に設けられている。利用者は、水素水供給口１６０を介して水素水を飲料することができる。
【００２２】  水素吹き出し口１７０は、浴槽１８０の底部１８０ａに設けられ、水素発生装置１３０により発生した水素ガスを底部１８０ａから浴槽１８０内に吹き出す機能を有している。水素吹き出し口１７０は、接続ライン１５０ｂからの分岐ライン１５０ｃと接続されており、水素発生装置１３０により発生した水素ガスは、ポンプ１３５を介して水素吹き出し口１７０に供給される。
【００２３】  浴槽１８０は、一般的な体格の利用者が無理なく入浴することができる寸法、形状に形成されており、ヒータ１１５により所定の温度に加熱された軟水が満たされている。上述したように、浴槽１８０には、水素吹き出し口１７０が設けられており、浴槽１８０に満たされた軟水に連続的に水素ガスが供給される構成となっている。水素吹き出し口１７０から吹き出される水素ガス量は、浴槽１８０における水素の飽和濃度を大きく上回るように過剰に設定される。なお、浴槽１８０の側部１８０ｂからは噴流発生器１８５により発生した水（湯）のジェット噴流が噴出される。このジェット噴流により、浴槽１８０内で水素ガスが攪拌されて利用者との接触効率を高める等、水素浴の効果を高めることができる。
【００２４】  換気ファン１９０は、浴槽１８０が備えられる浴室の天井部分に設けられており、浴室内の空気と外気とを換気より詳しくは発生した水素ガスと外気とを換気する機能を有している。
検出器１９３は、浴槽１８０が備えられる浴室の天井部分に設けられており、容器１８０の外部における水素濃度を検出する機能を有している。
【００２５】  制御装置１９５は、容器１８０の外部における水素濃度が規定値を超える場合に水素発生装置１３０を停止させる制御信号を生成する機能を有している。制御装置１９５は、図２に示すように、入力部１９５ａ、判断部１９５ｂ、および信号生成部１９５ｃからなる。すなわち、入力部１９５ａは、検出器１９３により検出された水素濃度の信号データを入力する機能を有している。判断部１９５ｂは、入力部１９５ａにより入力された水素濃度と所定の規定値とを比較し水素濃度が規定値よりも大きいか否かを判断する機能を有している。信号生成部１９５ｃは、判断部１９５ｂにより水素濃度が所定の規定値よりも大きいと判断されたときに、水素発生装置１３０を停止させる制御信号を生成する機能を有している。なお、水素発生装置１３０の停止とは、水素発生装置１３０の水素発生機能の停止および水素発生装置１３０により発生させた水素ガスの供給機能の停止のうち少なくともいずれか一方を含み、水素発生装置１３０の停止（電源停止等）、水素発生装置１３０により発生させた水素ガスの外部への排出、ポンプ１３５の停止、接続ライン１５０ｂ，１５０ｃに含まれるバルブの閉塞等が含まれる。
【００２６】  次に、本発明の水素浴ユニット１００による水素ガスの生成方法および浴槽１８０への水素ガスの供給方法等を説明する。
すなわち、まず軟水生成装置１１０により、水源１０５から供給された水道水から軟水を生成する。生成された軟水は、ヒータ１１５により所定の湯温に加熱されて浴槽１８０に供給され予め湯が満たされた状態とする。
【００２７】  続いて、純水生成装置１２０により、水源１０５から供給された水道水から純水を生成する。次いで、水素発生装置１３０により、生成された純水から水素ガスを発生させる。この水素ガスの発生は、酸素排出口１３０ｂから酸素ガスを排出しながら行う。生成された水素ガスは、ポンプ１３５により、水素発生器１５０および水素吹き出し口１７０に供給される。
【００２８】  すなわち、水素水生成器１５０により、自然水供給器１４０からの自然水と水素発生装置１３０からの水素ガスとを混合して水素水として生成し、該生成した水素水を、水素水供給口１６０から外部に供給する。このように、水素水に自然水を混合させることにより、健康増進効果や美容効果を更に付加することができる。なお、自然水には、湧水、井戸水、河川水、地下水等が含まれる。
【００２９】  また、水素吹き出し口１７０により、水素発生装置１３０からの水素ガスを浴槽１８０の底部１８０ａから浴槽１８０内に吹き出す。この水素ガスの吹き出しとジェット噴流の効果により、水素ガスが浴槽１８０の底部１８０ａから上昇しながら、かつ、攪拌されながら湯面に達し、利用者が十分に水素ガスと接触しながら水素浴を行うことができる。また、本発明においては、水素吹き出し口１７０から吹き出される水素ガス量が浴槽１８０における水素の飽和濃度を大きく上回るため、湯面からも水素ガスを発生させることができ、利用者は呼吸しながら水素ガスを吸引することができる。更に、浴槽１８０には、軟水が供給されることとしたので、健康増進効果や美容効果を更に一層高めることができる。なお、湯面から発生した水素ガスは、換気ファン１９０により外気と換気される。
【００３０】  ここで、本発明においては、浴室の天井部分に検出器１９３が設けられており、容器１８０の外部における水素濃度を検出することができる。すなわち、検出器１９０により検出された水素濃度の信号データは、制御装置１９５の入力部１９５ａに入力され、判断部１９５ｂにより、入力された水素ガス濃度が規定値よりも大きいと判断されたときは、信号生成部１９５ｃにより制御信号が生成され水素発生装置１３０を停止させることができる。これにより、容器１８０の外部において水素濃度が高濃度となる場合にあっても、水素発生装置１３０を停止させることができ、安全性を向上させることができる。
【００３１】  次に、本発明の第２実施形態について図３および図４を参照して詳細に説明する。本発明の第２実施形態は、上述した第１実施形態に対し容器を変更し、軟水生成装置１１０、ヒータ１１５、および噴流発生器１８５を省略した構成を示している。なお、本第２実施形態において上述した第１実施形態と同一の符号については同一の構成であるとしてその説明を省略することがあるものとする。
【００３２】  すなわち、第２実施形態の水素浴ユニット２００は、第１実施形態の容器１８０に代えて容器２８０を備えた構成となっており、純水生成装置１２０、水素発生装置１３０、自然水供給器１４０、水素水生成器１５０、水素水供給口１６０、水素吹き出し口２７０、容器２８０、換気ファン１９０、検出器１９３、および制御装置１９５を有している。
【００３３】  つまり、本第２実施形態においては、容器２８０は、水素カプセル２８０としており、水素カプセル２８０には、気体より詳しくは水素ガスが満たされている（本第２実施形態においては、上記の如く湯を供給する軟水生成装置１１０およびヒータ１１５、水（湯）のジェット噴流が噴出される噴流発生器１８５が省略されており、液体（湯）は満たされず気体（水素ガスおよび予め存在する空気）のみが満たされる）。
水素カプセル２８０は、筒状より詳しくは円筒状に形成されており、底部２８０ａより詳しくは底壁２８０ａ、側部２８０ｂより詳しくは側壁２８０ｂ、および上部２８０ｃより詳しくは上壁２８０ｃからなる。水素カプセル２８０は、一般的な体格を有する利用者が無理なく入ることができる寸法、形状に形成されている。
【００３４】  上壁２８０ｃは、側壁２８０ｂに対し開閉自在に形成されており、上壁２８０ｃの中央部には、開口２８０ｄが形成されている。
開口２８０ｄは、一般的な体格を有する利用者が頭から首を外部に露出させることができるようにその寸法が設定されており、利用者の首の周りに十分な寸法の開口が形成されるようにしている。
【００３５】  すなわち、図４に示すように、開口２８０ｄは、長孔状に形成されており、円形の孔を一定の方向に複数連ねて形成される。より詳しくは、開口２８０ｄは、２つの等しい大きさの円形の孔２８０ｅ、２８０ｆを有し、これらの孔２８０ａ，２８０ｂを一部重複させながら一定の方向に連ねて形成されており、瓢箪型をなしている。これにより、例えば、利用者が一方の円形の孔２８０ｅにより形成される開口から顔を露出させる場合にあっても、利用者の周囲により詳しくは利用者の前方側に他方の円形の孔２８０ｆにより形成される開口を更に有するようにすることができ、利用者は孔２８０ｆにより形成される開口から容易に水素ガスを吸引することができる。つまり、孔２８０ｅおよび孔２８０ｆのうちいずれか一方は、利用者が首から顔を露出させる孔として機能し、孔２８０ｅおよび孔２８０ｆのうちいずれか他方は、水素ガスが流出し利用者が水素ガスを吸引するための孔として機能する。孔２８０ｅ，２８０ｆは、それぞれ一般的な体格を有する利用者の顔や首の寸法に対応した寸法に設定されている。
【００３６】  水素カプセル２８０には、水素吹き出し口２７０が設けられている。すなわち、水素吹き出し口２７０は、水素カプセル２８０の底壁２８０ａに設けられ、水素発生装置１３０により発生した水素ガスを底壁２８０ａから水素カプセル２８０内に吹き出す機能を有している。水素吹き出し口２７０は、接続ライン１５０ｂからの分岐ライン１５０ｃと接続されており、水素発生装置１３０により発生した水素ガスは、ポンプ１３５を介して水素吹き出し口２７０に供給される。
【００３７】  これにより、利用者は、水素水を飲料しながら、水素カプセル２８０内で水素ガスと接触して水素浴を行うことができる。また、利用者の周囲に開口が形成されるので、開口から上昇する水素ガスにより利用者が呼吸しながら水素ガスを吸引することができる。
【００３８】  以上説明したように、本発明によれば、水素が供給される容器１８０，２８０を有することとしたので、利用者が、容器１８０，２８０内に入り水素浴を行うことができる。これにより、身体の外部より詳しくは皮膚から水素を摂取することができ、水素の還元効果によって健康増進効果や美容効果を高めることができる。
また、本発明によれば、容器１８０，２８０の外部に設けられ水素水が供給される水素水供給口１６０を更に有することとしたので、利用者が、水素水供給口１６０から供給される水素水を飲料しながら容器１００，２００内に入り水素浴を行うことができる。これにより、身体の外部からのみならず身体の内部からも水素を摂取することができ、水素の還元効果によって健康増進効果や美容効果を更に高めることができる。
【００３９】  更に、容器１８０，２８０および水素水供給口１６０に供給される水素水を生成するための水素を発生させる水素発生装置１３０を有することとしたので、水素を発生させながら容器１８０，２８０に水素を供給し、かつ、水素水を生成して水素水供給口１６０から水素水を供給することができ、水素の酸化等による水素濃度の低下を抑制することができる。
【００４０】  なお、本発明は特許請求の範囲を逸脱しない範囲で各種の応用実施を行うことが可能であることは勿論である。
【産業上の利用可能性】
【００４１】  本発明は、水素が供給される容器を有することにより、身体の外部からより詳しくは皮膚から水素を摂取することができ、健康増進効果や美容効果を更に高めることができる水素浴ユニットを提供する。これにより水素浴ユニットの新たな価値を生み出し業界の発展に大きく貢献する。
【符号の説明】
【００４２】１００：水素浴ユニット
１０５：水源
１１０：軟水生成装置
１１０ａ：接続ライン
１１５：ヒータ
１２０：純水生成装置
１２０ａ：接続ライン
１３０：水素発生装置
１３０ａ：接続ライン
１３０ｂ：酸素排出口
１３５：ポンプ
１４０：自然水供給器
１５０：水素水生成器
１５０ａ：接続ライン
１５０ｂ：接続ライン
１５０ｃ：接続ライン
１６０：水素水供給口
１６０ａ：接続ライン
１７０：水素吹き出し口
１８０：浴槽（容器）
１８０ａ：底部
１８０ｂ：側部
１８５：噴流発生器
１９０：換気ファン
１９３：検出器
１９５：制御装置
２００：水素浴ユニット
２７０：水素吹き出し口
２８０：水素カプセル（容器）
２８０ａ：底壁（底部）
２８０ｂ；側壁（側部）
２８０ｃ：上壁（上部）
２８０ｄ：開口
２８０ｅ：孔
２８０ｆ：孔
【図１】
2017158987.tif 000003
【図２】
2017158987.tif 000004
【図３】
2017158987.tif 000005
【図４】
2017158987.tif 000006